(57)【要約】【課題】複数の表示部を有し、両面に画面が形成される液晶表示装置において、装置本体の薄型化の要求を満たすとともに、コスト負担を抑制して、表示部を駆動する回路基板の電子部品搭載エリアの確保が図れる液晶表示装置を提供する。【解決手段】液晶表示装置１は、メイン側表示部２と、サブ側表示部３と、表示部２、３を駆動するための電子部品を搭載する回路基板４とを、備える。回路基板４は、メイン側表示部接続エリア５とサブ側表示部接続エリア６とにより、表示部２、３と接続される。回路基板４は、折り曲げ部分７を有しており、折り曲げ部分７は折り曲げ部（図示せず）で、折り曲げられて、回路基板４と略平行になる。折り曲げ部分７を折り曲げることによって形成された開口部（図示せず）にはサブ側表示部３が嵌め込まれ、折り曲げ部分７には、表示部２、３を駆動するための電子部品が搭載される。【選択図】図１
2007108197.tif 000002
【特許請求の範囲】
【請求項１】
液晶を用いて画像を表示する第１及び第２の少なくとも２つの表示部と、該表示部を駆動する電子部品を搭載する回路基板と、を備え、
前記回路基板には、前記表示部のそれぞれが接続される接続部と、前記表示部のうち少なくとも１つが嵌合する１つ以上の開口部と、が設けられ、
前記第１及び第２の表示部のうちのいずれか一方は前記開口部に嵌合し、
前記第１及び第２の表示部の両方、又はいずれか一方が前記接続部で折り曲げられて、前記第１の表示部と前記第２の表示部とが互いの表示面を反対向きとする液晶表示装置において、
前記回路基板には、前記第１及び第２の表示部のうちの前記開口部に嵌合しない方の表示部と接触しない方向に折り曲げられて前記開口部を形成する折り曲げ部分が設けられ、
前記折り曲げ部分には、前記電子部品が搭載されることを特徴とする液晶表示装置。
【請求項２】
前記折り曲げ部分は一つの領域から成り、少なくとも１箇所の折り曲げ部で折り曲げられることを特徴とする請求項１に記載の液晶表示装置。
【請求項３】
前記折り曲げ部分は複数の領域から成り、それぞれ少なくとも１箇所の折り曲げ部で折り曲げられることを特徴とする請求項１に記載の液晶表示装置。
【請求項４】
前記折り曲げ部分は、折り曲げられた際に前記回路基板からはみ出さないことを特徴とする請求項１から請求項３のうちのいずれか１項に記載の液晶表示装置。
【請求項５】
前記折り曲げ部分と前記回路基板との対向する面には、それぞれ接続端子部が設けられ、前記折り曲げ部分と前記回路基板とに搭載される前記電子部品は、前記接続端子部によって電気的に接続されることを特徴とする請求項１から請求項４のうちのいずれか１項に記載の液晶表示装置。
【発明の詳細な説明】
【技術分野】
【０００１】
本発明は、例えば携帯電話やＰＤＡ（Ｐｅｒｓｏｎａｌ  Ｄｉｇｉｔａｌ  Ａｓｓｉｓｔａｎｔ）端末等の携帯情報端末機器等に用いられる液晶表示装置に関し、特に、複数の表示部を有し、両面に画面を形成する液晶表示装置の構造に関する。
【背景技術】
【０００２】
近年、携帯電話やＰＤＡ端末に代表される携帯情報端末機器が広く利用されており、その表示素子として、薄型、軽量、低消費電力等の多くのメリットを有する液晶表示装置が使用されている。このような、携帯情報端末機器のうち携帯電話を例にとって見ると、最近の折り畳み式の携帯電話機においては、主として使用される画面（以下、「メイン画面」という。）と、その裏側に補助的に使用される小さな画面（以下、「サブ画面」という。）と、が配置された２画面の携帯電話機が主流となっている。
【０００３】
図８は、メイン画面とサブ画面が背中合わせになった状態の２画面の携帯電話機に用いられる液晶表示装置の従来例を示している。図８において、１００は液晶表示装置で、１０１はメイン画面を形成するメイン側表示部、１０２はサブ画面を形成するサブ側表示部、１０３は表示部１０１、１０２を駆動する電子部品を搭載する回路基板を示す。メイン側表示部１０１及びサブ側表示部１０２は、折り曲げ可能な接続部１０４によって回路基板１０３に接続されている。なお、図８はメイン側表示部１０１及びサブ側表示部１０２が折り曲げられる前の状態を示しており、図中に示す破線を軸に、メイン側表示部１０１は矢印Ａ方向に、サブ側表示部１０２は矢印Ｂ方向に折り曲げられて、両面に表示部を有する液晶表示装置が構成される。図８に示すように、このタイプの液晶表示装置１００においては、メイン側表示部１０１及びサブ側表示部１０２が回路基板１０３を共用することが可能であるという利点を有する。
【０００４】
ところで、近年、携帯電話機等においては、その薄型化の要求が強く、図８のような液晶表示装置１００ではその要求に十分答えているとは言えない。このため、特許文献１においては、例えば、図９に示すように、部品を搭載する回路基板１０３を中抜き構造とする開口部１０５を設け、サブ側表示部１０２をこの開口部１０５に配置し、メイン側表示部１０１、サブ側表示部１０２、及び回路基板１０３で構成される液晶表示装置のトータル厚みを薄く抑える技術が紹介されている。なお、図９（ａ）は、メイン側表示部１０１が接続部１０４で折り曲げられる前の状態を示し、図９（ｂ）は、メイン側表示部１０１が接続部１０４で折り曲げられた状態を示している。
【０００５】
しかしながら、特許文献１に示すような液晶表示装置においては、メイン側表示部１０１及びサブ側表示部１０２を駆動する電子部品を搭載する回路基板１０３に開口部１０５が形成されているために、部品を搭載するためのエリアを十分に確保することが困難であり、これに伴い、回路基板１０３における配線の引き回しが複雑となる。また、大型の電子部品等を配置することを考えると、回路基板を多層化する必要も生じ、基板の積層化に伴うコスト上昇といった問題も生じる。
【特許文献１】特開２００３−２９５２１３号公報
【発明の開示】
【発明が解決しようとする課題】
【０００６】
以上の問題点を鑑みて、本発明は、複数の表示部を有し、両面に画面が形成される液晶表示装置において、装置本体の薄型化の要求を満たすとともに、コスト負担を抑制して、表示部を駆動する回路基板の電子部品搭載エリアの確保が図れる液晶表示装置を提供することを目的とする。
【課題を解決するための手段】
【０００７】
上記目的を達成するために本発明は、液晶を用いて画像を表示する第１及び第２の少なくとも２つの表示部と、該表示部を駆動する電子部品を搭載する回路基板と、を備え、前記回路基板には、前記表示部のそれぞれが接続される接続部と、前記表示部のうち少なくとも１つが嵌合する１つ以上の開口部と、が設けられ、前記第１及び第２の表示部のうちのいずれか一方は前記開口部に嵌合し、前記第１及び第２の表示部の両方、又はいずれか一方が前記接続部で折り曲げられて、前記第１の表示部と前記第２の表示部とが互いの表示面を反対向きとする液晶表示装置において、前記回路基板には、前記第１及び第２の表示部のうちの前記開口部に嵌合しない方の表示部と接触しない方向に折り曲げられて前記開口部を形成する折り曲げ部分が設けられ、前記折り曲げ部分には、前記電子部品が搭載されることを特徴としている。
【０００８】
また、本発明は、上記構成の液晶表示装置において、前記折り曲げ部分は１つの領域から成り、少なくとも１箇所の折り曲げ部で折り曲げられることを特徴としている。
【０００９】
また、本発明は、上記構成の液晶表示装置において、前記折り曲げ部分は複数の領域から成り、それぞれ少なくとも１箇所の折り曲げ部で折り曲げられることを特徴としている。
【００１０】
また、本発明は、上記構成の液晶表示装置において、前記折り曲げ部分は、折り曲げられた際に前記回路基板からはみ出さないことを特徴としている。
【００１１】
また、本発明は、上記構成の液晶表示装置において、前記折り曲げ部分と前記回路基板との対向する面には、それぞれ接続端子部が設けられ、前記折り曲げ部分と前記回路基板とに搭載される前記電子部品は、前記接続端子部によって電気的に接続されることを特徴としている。
【発明の効果】
【００１２】
本発明の第１の構成によれば、装置本体の薄型化を考慮して、回路基板に開口部を有する液晶表示装置において、従来は開口部を形成するために切り取られていた部分を折り曲げ部分として残し、その部分にも表示部を駆動するための電子部品を搭載する構造としているために、電子部品を搭載するエリアを十分確保することが可能となる。また、本発明の折り曲げ部分は、従来は廃棄されていた部分であり、本発明はこの部分を有効活用する構造であるため、本発明の装置作製にあたって、コストの上昇とはならず、更にはコストの低減も可能である。
【００１３】
また、本発明の第２及び第３の構成によれば、上記第１の構成の液晶表示装置において、折り曲げ部分の折り曲げ形状及びそのサイズを回路基板に搭載される電子部品の状況に応じて、種々の形態とすることが可能となる。
【００１４】
また、本発明の第４の構成によれば、上記第１から第３のいずれかの構成の液晶表示装置において、回路基板の折り曲げた部分が回路基板からはみ出ないように構成されているために、液晶表示装置全体のサイズを大型化せずに済む。
【００１５】
また、本発明の第５の構成によれば、上記第１から第４のいずれかの構成の液晶表示装置において、回路基板上に部分的に積層構造と同様の効果を有する構造が形成されるために、回路基板における配線の引き回しも容易となり、別途多層化する必要がなくなる。このため、回路基板にかかるコストを低減することが可能となる。
【発明を実施するための最良の形態】
【００１６】
以下に本発明の実施形態を、２画面の携帯電話機に用いられる液晶表示装置を一例として図面を用いて説明する。なお、ここで示す実施形態は一例であり、本発明はここに示す実施形態に限定されるものではない。また、図面中の各部材の大きさや厚みは理解を容易にする目的のためのものであり、実際の寸法と異なる。
【００１７】
図１は、第１実施形態の液晶表示装置の構成を示す概略平面図であって、ここでは、最終的に、複数ある折り曲げ部で折り曲げることによって組み上げられる液晶表示装置について、折り曲げ部での折り曲げを行う前の状態を示している。図１において、１は液晶表示装置で、この液晶表示装置１には、発信及び着信の表示、時計表示、その他、携帯電話機の備える様々なモードの設定等を行うための画面を表示するメイン画面を有するメイン側表示部２と、メイン画面とは反対側の面に、例えば、バッテリーマーク、アンテナマーク、着信表示マーク等のアイコンや時計等を表示するサブ画面を有するサブ側表示部３とが、備えられる。
【００１８】
メイン側表示部２とサブ側表示部３とは、それぞれ図示しない液晶表示素子、導光板、反射板等によって構成される。また、メイン側表示部２とサブ側表示部３とは、それぞれ、回路基板４に設けられるメイン側表示部接続エリア５、サブ側表示部接続エリア６の部分で回路基板４と接続されている。メイン側表示部２とサブ側表示部３とは、それぞれ、メイン側表示部接続エリア５及びサブ側表示部接続エリア６の折り曲げ部５ａ、６ａで折り曲げられて、略平行の位置関係となる。
【００１９】
回路基板４には、メイン側液晶表示部２とサブ側液晶表示部３に備えられる液晶の駆動等を行えるように、図示しない各種の電子部品が搭載される。この回路基板４は一部が折り曲げられる構成であるために、折り曲げが可能となるようにフレキシブルプリント基板で形成されている。なお、第１実施形態においては、回路基板４にフレキシブルプリント基板を用いているが、これに限られる趣旨ではなく、例えば、折り曲げを必要とする部分についてのみ、ポリイミド等の軟質の素材で構成し、その他の部分については硬質の素材で構成する、いわゆるリジッドフレキを用いても構わない。
【００２０】
第１実施形態の回路基板４においては、図１に示すように回路基板４の一部に、矩形状の折り曲げ部分７が設けられている。図２は、第１実施形態の回路基板４に設けられる折り曲げ部分７の構成を説明するための概略平面図で、図２（ａ）は、折り曲げ部分７が折り曲げられる前の状態を示し、図２（ｂ）は、折り曲げ部分７が折り曲げられた状態を示している。図２（ａ）に示すように、折り曲げ部分７は、図中に破線で示す折り曲げ部７ａで折り曲げ可能とされている。
【００２１】
折り曲げ部分７が、折り曲げ部７ａで折り曲げられた後には、図２（ｂ）に示すように回路基板４には開口部８が形成されることになるが、この開口部８には、折り曲げ部６ａで回路基板４側に折り曲げられたサブ側表示部３が、嵌め込まれるようになっている。このため、折り曲げ部分７のサイズは、サブ側表示部３のサイズによって決められる。
【００２２】
図３は、第１実施形態の液晶表示装置１の構成を示す概略断面図で、図１における折り曲げ部５ａ、６ａでメイン側表示部２とサブ側表示部３とを、更に図２における折り曲げ部７ａで折り曲げ部分７を、それぞれ所定の方向に折り曲げて装置を組み上げた後の液晶表示装置を示している。また、図４は第１実施形態の液晶表示装置１との比較のための図で、第１実施形態における折り曲げ部分７が設けられず、回路基板４の一部をくり貫くことによって開口部８を設ける構成とした従来の液晶表示装置の概略断面図である。
【００２３】
図３の示すように、メイン側表示部２は矢印Ｃの方向に、サブ側表示部３は矢印Ｄの方向に、それぞれ折り曲げられて、それぞれの表示面２ａ、３ａが互いに反対方向に向くように構成されている。そして、サブ側表示部３は、回路基板４に設けられる開口部８に嵌め込まれる構成となっているために、サブ側表示部３が回路基板の上に配置されず、液晶表示装置１のトータルの厚みが薄くなるように設けられている。
【００２４】
折り曲げ部分７は、図３に矢印Ｅで示す方向に折り曲げられ、回路基板４と略平行となっている。なお、折り曲げた後の折り曲げ部分７は、メイン側表示部２と接触しない方向に折り曲げられている。そして、この折り曲げ部分７の折り曲げられた後に回路基板４と対向する面には、メイン側表示部２及びサブ側表示部３の液晶等を駆動する電子部品の一部が搭載されている。すなわち、図４に示す従来の液晶表示装置に比べて、この折り曲げ部分７が設けられることにより、電子部品の搭載エリアが拡張された構成になっている。また、図４に示す従来の構成の場合、第１実施形態の折り曲げ部分７に相当する部分は廃棄されていたため、この部分を利用することによって、コストの抑制が図れる。
【００２５】
なお、第１実施形態においては、メイン側表示部２及びサブ側表示部３を駆動する電子部品を折り曲げ部分７が折り曲げられた後に回路基板４に対向する側の面に搭載する構成としているが、これに限定される趣旨ではなく、本発明の目的を逸脱しない範囲で変更可能である。すなわち、例えば、本実施形態の場合の裏面側にメイン側表示部２等を駆動する電子部品を搭載する構成等としても構わない。
【００２６】
また、第１実施形態においては、回路基板４上に開口部８を形成する折り曲げ部分７の構成について、１つの矩形状の領域を１箇所の折り曲げ部７ａで折り曲げて形成する構成としているが、これに限られず、種々の変形が可能である。すなわち、例えば、以下に説明する図５、図６における構成等にすることが可能である。ここで、図５及び図６は、第１実施形態の液晶表示装置１の変形例を示すために回路基板４の構成についてのみ示した概略平面図である。そして、図５（ａ）及び図６（ａ）は、折り曲げ部分７が折り曲げられる前の状態を示しており、図５（ｂ）、図６（ｂ）及び図６（ｃ）は、折り曲げ部分７が折り曲げられた状態を示している。
【００２７】
図５に示す構成の液晶表示装置においては、図５（ａ）に示すように回路基板４に矩形状の折り曲げ部分７が隣同士に並んで２領域設けられており、そのそれぞれについて、図５（ｂ）に示すように、１箇所の折り曲げ部７ｂで折り曲げられて、図の上方向と下方向に折り返されるように構成されている。そして、折り曲げられて形成された開口部８には、サブ側表示部３（図１参照）が嵌め込まれるようになっている。
【００２８】
図６に示す構成の液晶表示装置においては、回路基板４に設けられる１つの折り曲げ部分７（図６（ａ）参照）が、複数箇所で折り曲げられて、開口部８を形成する場合について示している。すなわち、折り曲げ部分７は、まず、折り曲げ部７ｃで折り曲げられ（図６（ｂ）の状態）、更に折り曲げ部７ｄで折り曲げることによって開口部８を形成する。
【００２９】
そして、図５、図６に示す構成の液晶表示装置についても、第１実施形態の場合と同様に、メイン側表示部２及びサブ側表示部３（いずれも図１参照）を駆動する電子部品の搭載エリアが拡大し、また、回路基板４のうち、廃棄していた部分を有効利用することが可能となる。なお、以上に示した第１実施形態及びその変形例では、折り曲げ部分７は、折り曲げられた際に、回路基板４からはみ出さないように構成されているが、必ずしも、それに限定される趣旨ではなく、折り曲げられた際に、折り曲げ部分７が回路基板４からはみ出すような構成でも構わない。ただし、この場合、液晶表示装置１全体の大きさが必要以上に大きくなる可能性があり、折り曲げ部分７は折り曲げられた状態で回路基板４からはみ出さないのが好ましい。
【００３０】
次に、本発明の液晶表示装置の第２実施形態について説明する。なお、説明にあたって、第１実施形態の液晶表示装置１と重複する部分については同一の符号を付し、特に必要がない場合はその説明を省略する。図７は、第２実施形態の液晶表示装置１における回路基板４の構成を示す概略平面図である。図７（ａ）は、折り曲げ部分７が折り曲げられる前の状態で、図７（ｂ）は、折り曲げ部分７が折り曲げられた状態を示している。図７に示すように、第２実施形態においても、第１実施形態と同様に、回路基板４に設けられる折り曲げ部分７は、図７（ａ）に示すように矩形状の１つの領域であり、折り曲げ部分７が折り曲げ部７ａで折り曲げられた後は、図７（ｂ）に示すように、折り曲げ部分７と回路基板４とは、略平行の位置関係となる。
【００３１】
図７（ａ）に示すように、回路基板４と折り曲げ部分７とには、それぞれ折り曲げる前の状態で同一の面に、接続端子部９ａ、９ｂが設けられている。この接続端子部９ａ、９ｂは、折り曲げ部分７を折り曲げ部７ａで折り曲げた時に、折り曲げ部分７側に設けられた接続端子部９ｂと、回路基板４側に設けられた接続端子部９ａとが、互いに重なり合って接触するように配置されている（図７（ｂ）の状態。接続端子部９ａ、９ｂは実際には見えないので点線で表している。）。なお、接続端子部９ａ、９ｂの回路基板４及び折り曲げ部分７への実装は、はんだ、異方性導電膜（ＡＦＣ）、金属接合などを用いて行われる。
【００３２】
従って、回路基板４に搭載される電子部品と折る曲げ部分７に搭載される電子部品とは電気的に接続されることになるため、回路基板４及び折り曲げ部分７に、メイン側表示部２及びサブ側表示部３（いずれも図１参照）を駆動する電子部品が搭載される第２実施形態の液晶表示装置１は、折り曲げ部分７を折り返した部分において、積層構造と同様の効果を得ることが可能となる。すなわち、基板の配線の引き回しを容易にすること等が可能となり、従来のように、回路基板４の多層化を行う必要がなくなる。このため、従来、廃棄していた領域（折り曲げ部分７）を有効利用することにより、回路基板４についてコストダウンも可能となる。
【００３３】
なお、第２実施形態においては、第１実施形態の液晶表示装置１の構成について、接続端子部９ａ、９ｂを設ける構成としているが、この構成に限られる趣旨ではなく、例えば、上述した、図５又は図６に示す液晶表示装置等についても、もちろん、接続端子部を設けることが可能である。
【００３４】
以上の本実施形態においては、メイン側表示部２、サブ側表示部３、回路基板４、折り曲げ部分７を矩形状としているが、これに限られる趣旨ではなく種々の変形が可能である。例えば、各部分について円形状等としても構わない。また、本実施形態では、表示部をメイン側表示部２とサブ側表示部３との２つとしているが、表示部の数は２つに限定される趣旨ではなく、例えば、メイン側表示部を１つ、サブ側表示部を２つとする等、表示部を２つより多くしても構わない。この場合、例えば、サブ側表示部の増加に応じて折り曲げ部分７の数を増やしても構わない。
【００３５】
また、本実施形態の液晶表示装置においては、折り曲げ部分７を折り曲げ部７ａで折り曲げて形成する開口部８について、回路基板４の内部を中抜きにして形成する構成としているが、回路基板４の端部側から切り込みを入れて、その部分を折り曲げ部分７として折り曲げ、折り曲げられた後に形成される部分を開口部８とする構成としても構わず、開口部８にはそのような形態も含む。更に、以上の本実施形態においては、サブ側表示部３を折り曲げて開口部８に嵌め込む構成としているが、これに限らず、上述の特許文献１に示したように、サブ側表示部３を折り曲げない構成の液晶表示装置等としても構わない。
【００３６】
その他、本実施形態では、携帯電話機に用いられる液晶表示装置について述べたが、その他の携帯情報端末機器等に用いられる液晶表示装置についても、本発明が適用可能であるのは言うまでもない。
【産業上の利用可能性】
【００３７】
本発明は、液晶を用いて画像を表示する第１及び第２の少なくとも２つの表示部と、表示部を駆動する電子部品を搭載する回路基板と、を備え、回路基板には、表示部のそれぞれが接続される接続部と、表示部のうちの少なくとも１つが嵌合する１つ以上の開口部と、が設けられ、第１及び第２の表示部のうちのいずれか一方は開口部に嵌合し、第１及び第２の表示部の両方、又はいずれか一方が接続部で折り曲げられて、第１の表示部と第２の表示部とが互いの表示面を反対向きとする液晶表示装置において、回路基板には、第１及び第２の表示部のうちの開口部に嵌合しない方の表示部と接触しない方向に折り曲げられて開口部を形成する折り曲げ部分が設けられ、折り曲げ部分には、電子部品が搭載されることとする。
【００３８】
このため、装置本体の薄型化を考慮して、回路基板に開口部を有する液晶表示装置において、従来は開口部を作製するために切り取られていた部分を折り曲げ部分として残し、その部分にも表示部を駆動するための電子部品を搭載する構造となり、電子部品を搭載するエリアを十分確保することが可能となる。また、本発明の折り曲げ部分は、従来は廃棄されていた部分であり、本発明はこの部分を有効活用する構造であるため、本発明の装置作製にあたって、コストの上昇とはならず、更にはコストの低減も可能となる。
【００３９】
また、本発明の液晶表示装置においては、折り曲げ部分は、１つ又は複数の領域から成り、折り曲げ部分を形成する領域は、少なくとも１箇所以上の折り曲げ部で折り曲げられるように形成できる。このため、回路基板に搭載される電子部品の状況に応じて、折り曲げ部分の形状及びサイズを種々の形態とすることが可能となる。
【００４０】
また、本発明の液晶表示装置は、折り曲げ部分が、折り曲げられた際に回路基板からはみ出さないように構成することが可能であるために、液晶表示装置全体のサイズが大型化せずに済む。
【００４１】
更に、本発明の液晶表示装置は、折り曲げ部分と回路基板との対向する面に、それぞれ接続端子部が設けられ、折り曲げ部分と回路基板とに搭載される電子部品は、接続端子部によって接続されるように構成できるため、回路基板上に部分的に積層構造と同様の効果を有する構造が形成される。従って、回路基板における配線の引き回しも容易となり、別途多層化する必要がなくなり、回路基板にかかるコストを低減することが可能となる。
【図面の簡単な説明】
【００４２】
【図１】は、第１実施形態の液晶表示装置の構成を示す概略平面図である。
【図２】は、第１実施形態の液晶表示装置において、回路基板に設けられる折り曲げ部分の構成を説明するための概略平面図である。
【図３】は、第１実施形態の液晶表示装置の構成を示す概略断面図である。
【図４】は、第１実施形態の液晶表示装置１との比較のために示した従来の液晶表示装置の概略断面図である。
【図５】は、第１実施形態の液晶表示装置の変形例を示すために回路基板の構成についてのみ示した概略平面図である。
【図６】は、第１実施形態の液晶表示装置の変形例を示すために回路基板の構成についてのみ示した概略平面図である。
【図７】は、第２実施形態の液晶表示装置における回路基板の構成を示す概略平面図である。
【図８】は、従来の液晶表示装置の構成を示す概略図である。
【図９】は、従来の液晶表示装置の構成を示す概略図である。
【符号の説明】
【００４３】
１                        液晶表示装置
２                        メイン側表示部（第１の表示部又は第２の表示部）
３                        サブ側表示部  （第１の表示部又は第２の表示部）
２ａ、３ａ                表示面
４                        回路基板
７                        折り曲げ部分
７ａ、７ｂ、７ｃ、７ｄ    折り曲げ部
８                        開口部
９ａ、９ｂ                接続端子部
【図１】
2007108197.tif 000003
【図２】
2007108197.tif 000004
【図３】
2007108197.tif 000005
【図４】
2007108197.tif 000006
【図５】
2007108197.tif 000007
【図６】
2007108197.tif 000008
【図７】
2007108197.tif 000009
【図８】
2007108197.tif 000010
【図９】
2007108197.tif 000011